(57)【要約】【課題】電力供給装置において、一つの押圧部材を押しただけでは電源端子が出ないようにして、電源端子の短絡を防止する。【解決手段】電子機器を装着する装着部１０と、この装着部１０に電子機器を装着すると突出する電源端子３とを備える電力供給装置であって、装着部１０の一端側と他端側に電子機器の装着により押圧される押圧部材４・５をそれぞれ備えるとともに、一端側の押圧部材４の非押圧状態で他端側の押圧部材５の押圧動作を規制して電源端子３を没入状態に保持し、一端側の押圧部材４の押圧後にのみ他端側の押圧部材５の押圧動作を許容して電源端子３を突出させる突出動作機構を備える。具体的には、一端側の押圧部材４は側面から押圧されて、他端側の押圧部材５は上面から押圧される。【選択図】図１
2011019340.tif 000002
【特許請求の範囲】
【請求項１】
電子機器を装着する装着部と、この装着部に電子機器を装着すると突出する電源端子とを備える電力供給装置であって、
前記装着部の一端側と他端側に電子機器の装着により押圧される押圧部材をそれぞれ備えるとともに、
前記一端側の押圧部材の非押圧状態で前記他端側の押圧部材の押圧動作を規制して前記電源端子を没入状態に保持し、前記一端側の押圧部材の押圧後にのみ前記他端側の押圧部材の押圧動作を許容して前記電源端子を突出させる突出動作機構を備えることを特徴とする電力供給装置。
【請求項２】
前記一端側の押圧部材は側面から押圧されて、前記他端側の押圧部材は上面から押圧されることを特徴とする請求項１に記載の電力供給装置。
【請求項３】
前記装着部の一端側に前記電子機器が突き当たる突き当て壁を形成して、前記装着部の他端側までに前記電子機器の途中までを載置する載置面を形成し、その載置面から前記電子機器が突出する部分において、前記電子機器を構成する折り畳み式筐体の一方の筐体が回転できるようにしたことを特徴とする請求項１または２に記載の電力供給装置。
【請求項４】
前記突出動作機構は、前記電源端子を保持する可動部材と、前記一端側の押圧部材に一体化され、前記可動部材の前記電源端子を突出させる方向の動作を規制する規制部材と、前記他端側の押圧部材に一体化され、前記可動部材を前記電源端子の突出方向に動作させる動作部材と、を備えることを特徴とする請求項１から３のいずれか一項に記載の電力供給装置。
【請求項５】
前記装着部に前記電子機器を装着状態に保持する保持部材を備えることを特徴とする請求項１から４のいずれか一項に記載の電力供給装置。
【請求項６】
前記他端側の押圧部材に対する側方からの接触を困難とする突出部を備えることを特徴とする請求項１から５のいずれか一項に記載の電力供給装置。
【請求項７】
前記装着部に装着状態の前記電子機器の側面部に対する操作を可能とする切り欠き部を備えることを特徴とする請求項１から６のいずれか一項に記載の電力供給装置。
【発明の詳細な説明】
【技術分野】
【０００１】
本発明は、電子機器を装着すると電源端子が突出する電力供給装置に関する。
【背景技術】
【０００２】
携帯電子機器を横置きに装着することで押圧子を押して電源端子を飛び出させるようにした充電台が特許文献１に開示される。
【先行技術文献】
【特許文献】
【０００３】
【特許文献１】特開２００８‐２８３７５２号公報
【発明の概要】
【発明が解決しようとする課題】
【０００４】
しかし、特許文献１の充電台では、携帯電子機器の長手方向側面に充電電極が設けられているため、機器設置凹部の底面の電源端子出没孔から電源端子が出没するように設けられている。また、電源端子に誤って電流を缶などが置かれた場合は電源端子が短絡してしまうが、このような場合は過電流を検出して電流を即座に止める保護回路が設けられている。このように、携帯電子機器のセット方向と電源端子の出没方向とが同一方向であるため、押圧子を押して電源端子出没孔から飛び出した電源端子が手に触れてしまうことがあるが、この場合、手に対しては過電流とはならない程度に電流が流れて低温やけどの恐れがある。また、過電流とはならない程度に電流が流れるようなものが置かれた場合には発熱の恐れもあった。
また、特許文献１の充電台は、例えば携帯電子機器を装着したままで折り畳み式筐体を開放させるような場合を考慮しておらず、すなわち、筐体を開放して使用することはできなかった。
【０００５】
本発明の課題は、電力供給装置において、一つの押圧部材を押しただけでは電源端子が出ないようにして、電源端子の短絡を防止することである。
【課題を解決するための手段】
【０００６】
以上の課題を解決するため、請求項１に記載の発明は、電子機器を装着する装着部と、この装着部に電子機器を装着すると突出する電源端子とを備える電力供給装置であって、前記装着部の一端側と他端側に電子機器の装着により押圧される押圧部材をそれぞれ備えるとともに、前記一端側の押圧部材の非押圧状態で前記他端側の押圧部材の押圧動作を規制して前記電源端子を没入状態に保持し、前記一端側の押圧部材の押圧後にのみ前記他端側の押圧部材の押圧動作を許容して前記電源端子を突出させる突出動作機構を備えることを特徴とする。
【０００７】
請求項２に記載の発明は、請求項１に記載の電力供給装置であって、前記一端側の押圧部材は側面から押圧されて、前記他端側の押圧部材は上面から押圧されることを特徴とする。
【０００８】
請求項３に記載の発明は、請求項１または２に記載の電力供給装置であって、前記装着部の一端側に前記電子機器が突き当たる突き当て壁を形成して、前記装着部の他端側までに前記電子機器の途中までを載置する載置面を形成し、その載置面から前記電子機器が突出する部分において、前記電子機器を構成する折り畳み式筐体の一方の筐体が回転できるようにしたことを特徴とする。
【０００９】
請求項４に記載の発明は、請求項１から３のいずれか一項に記載の電力供給装置であって、前記突出動作機構は、前記電源端子を保持する可動部材と、前記一端側の押圧部材に一体化され、前記可動部材の前記電源端子を突出させる方向の動作を規制する規制部材と、前記他端側の押圧部材に一体化され、前記可動部材を前記電源端子の突出方向に動作させる動作部材と、を備えることを特徴とする。
【００１０】
請求項５に記載の発明は、請求項１から４のいずれか一項に記載の電力供給装置であって、前記装着部に前記電子機器を装着状態に保持する保持部材を備えることを特徴とする。
【００１１】
請求項６に記載の発明は、請求項１から５のいずれか一項に記載の電力供給装置であって、前記他端側の押圧部材に対する側方からの接触を困難とする突出部を備えることを特徴とする。
【００１２】
請求項７に記載の発明は、請求項１から６のいずれか一項に記載の電力供給装置であって、前記装着部に装着状態の前記電子機器の側面部に対する操作を可能とする切り欠き部を備えることを特徴とする。
【発明の効果】
【００１３】
本発明によれば、一つの押圧部材を押しただけでは電源端子が出ないようにして、電源端子の短絡を防止できる。
【図面の簡単な説明】
【００１４】
【図１】本発明を適用した電力供給装置の一実施形態の構成を示すもので、充電台に備えられる二つの押圧部材の非押圧状態を示した外観斜視図（ａ）と、その反対側から見た図（ｂ）と、二つの押圧部材の押圧状態を示した図（ｃ）である。
【図２】図１の充電台の上ケースを取り外して内部機構及び下ケースを示すもので、二つの押圧部材の非押圧状態を示した斜視図（ａ）と、一つの押圧部材の押圧状態を示した図（ｂ）である。
【図３】図１の充電台の下ケースを取り外して内部機構及び上ケースを示すもので、二つの押圧部材の非押圧状態を示した斜視図（ａ）と、一つの押圧部材の押圧状態を示した図（ｂ）である。
【図４】図１（ａ）の充電台の要部断面図（ａ）と、電子機器の一例として携帯電話を装着して一つの押圧部材の押圧状態を示した要部断面図（ｂ）と、続いて二つの押圧部材の押圧状態を示した図（ｃ）である。
【図５】図１の充電台への携帯電話の装着の仕方を示した斜視図（ａ）と、その装着状態を示した図（ｂ）と、その反対側から見た図（ｃ）である。
【図６】図５の充電台に装着状態の携帯電話を縦方向に開いた状態を示した斜視図（ａ）と、その側面図（ｂ）である。
【図７】図５の充電台に装着状態の携帯電話を横方向に開いた状態を示した斜視図（ａ）と、その電子機器の背面スピーカを示した斜視図（ｂ）である。
【図８】図５の充電台に装着状態の携帯電話を縦方向に直角に開いたムービー状態を示した斜視図である。
【発明を実施するための形態】
【００１５】
以下、図を参照して本発明を実施するための形態を詳細に説明する。
図１は本発明を適用した電力供給装置の一実施形態の構成として充電台を示すもので、１は上ケース、２はコネクタ、３は電源端子、４は側面押圧部材、５は上面押圧部材、６は端部保持爪、７は中間部保持爪である。
【００１６】
図示のように、上ケース１には、側面にコネクタ２が設けられて、上面の装着部１０に、一方の長辺部ほぼ中央の電源端子３、一方の短辺部ほぼ中央の側面押圧部材４、他方の長辺部で他方の短辺部側の上面押圧部材５、その反対側の端部保持爪６、対向する中間部保持爪７がそれぞれ設けられている。
【００１７】
すなわち、装着部１０の載置面上には、主に長手方向に沿ってリブ１１が形成され、装着部１０の一方の短辺部に沿って、側面押圧部材４が出没するスリットを有する突き当て壁１４が形成されて、他端側の短辺部に沿って差し込み片１２が形成されている。突き当て壁１４の上端には左右一対の突片１４ａが形成されている。側面押圧部材４は、装着部１０に形成されたスリットに沿ってスライド動作する。
【００１８】
装着部１０の一方の長辺部には、そのほぼ中央に、一対の電源端子３が出没するスリットを有する中間部突出壁１３が形成されて、差し込み片１２側の端部に、端部保持爪６が出没する開口を有する端部突出壁１６が形成されている。
【００１９】
装着部１０の他方の長辺部には、そのほぼ中央から突き当て壁１４側に沿って、中間部保持爪７が出没する開口を有する側壁１７が形成されて、差し込み片１２側の端部に沿って、上面押圧部材５を側方から覆うような突出部１５が形成されている。突出部１５の上面は、上面押圧部材５が高い傾斜面１５ａとなっている。上面押圧部材５は、装着部１０に形成された開口において出没動作する。中間部保持爪７は、側壁１７の中間部突出壁１３と対向する端部に形成された開口において出没する。
【００２０】
なお、中間部突出壁１３と突き当て壁１４と端部突出壁１６と側壁１７との間は切り欠き部となっている。そして、上ケース１の装着部１０の外側で中間部突出壁１３と突き当て壁１４及び端部突出壁１６との間の切り欠き部の上面は、ともに前下がりの傾斜面１ａとなっている。また、装着部１０の中間部突出壁１３と端部突出壁１６との間の切り欠き部に沿っては、リブ１１が設けられていない。
【００２１】
図２は充電台の上ケース１を取り外して内部機構及び下ケース８を示すもので、図３は充電台の下ケース８を取り外して内部機構及び上ケース１を示すものである。
【００２２】
図示のように、一対の電源端子３の突出動作機構は、電源端子３をコイル状部３０で保持する可動部材９と、この可動部材９を電源端子３の没入方向に付勢するねじりバネ９９と、側面押圧部材４に一体で、可動部材９の電源端子３を突出させる方向の動作を規制する規制部材４０と、上面押圧部材５に一体で、可動部材９を電源端子３の突出方向に動作させる動作部材５０と、規制部材４０を規制方向に付勢するねじりバネ４９と、から構成されている。
【００２３】
すなわち、可動部材９は、一対の電源端子３のコイル状部３０を保持して電源端子３を突出させて備えるもので、一対の軸部９１で、上ケース１内の軸受部９２及び下ケース８内の軸受部９３により回動自在に組み込まれている。また、可動部材９には平行部９０が一体に形成されており、この平行部９０も、前記軸部９１と同一軸線上の一対の軸部９４が、上ケース１内の軸受部９５及び下ケース８内の軸受部９６で回動自在に組み込まれている。さらに、平行部９０の先端には延出片９７が一体に形成されている。
【００２４】
そして、電源端子３を突出方向に付勢するねじりバネ９９が上ケース１内部との間に設けられている。このねじりバネ９９は、図示例において、一対のねじりバネが平行部９０を跨いだ一体物となっている。
【００２５】
規制部材４０は、側面押圧部材４と反対側端部に、可動部材９の先端部を載せる規制部４１を一体に有するもので、上ケース１内の案内部４２及び下ケース８内の案内部４３のスリット内に沿ってスライド動作自在に組み込まれている。そして、側面押圧部材４が突出する方向に規制部材４０を付勢するねじりバネ４９が、上ケース１内部との間に設けられている。
【００２６】
動作部材５０は、一対の軸部５１で、上ケース１内の軸受部５２及び下ケース８内の軸受部５３により回動自在に組み込まれている。また、動作部材５０には平行部５４が一体に形成されており、この平行部５４も、前記軸部５１と同一軸線上の軸部５５が、上ケース１内の軸受部５６及び下ケース８内の軸受部５７で回動自在に組み込まれている。さらに、動作部材５０の上面押圧部材５を挟んで軸部５１と反対側に横長部５８が一体に形成されており、この横長部５８の先端には直角方向の延出片５９が一体に形成されている。この延出部５９が、可動部材９の延出部９７の上に載せられている。
【００２７】
なお、一対の電源端子３は、コイル状部３０の延長部端において、コネクタ２の基板２１に電気的接続した配線２２が電気的接続されている。
【００２８】
また、端部保持爪６は、一対の軸部６１で、上ケース１内の軸受部６２及び下ケース８内の軸受部６３により回動自在に組み込まれている。そして、端部保持爪６を端部突出壁１６の開口から突出方向に付勢するねじりバネ６９が上ケース１内部との間に設けられている。
【００２９】
同様に、中間部保持爪７は、一対の軸部７１で、上ケース１内の軸受部７２及び下ケース８内の軸受部７３により回動自在に組み込まれている。そして、中間部保持爪７を側壁１７の開口から突出方向に付勢するねじりバネ７９が上ケース１内部との間に設けられている。
【００３０】
以上の充電台は、図示しない電源コードをコネクタ２にコネクタ接続することで、充電に用いられる。
【００３１】
次に、図４（ａ）は以上の充電台の要部を断面で示したもので、図４（ｂ）は電子機器の一例として携帯電話を装着して側面押圧部材４の押圧状態を示し、図４（ｃ）は続いて上面押圧部材５の押圧状態を示している。
【００３２】
図５は充電台への携帯電話の装着の仕方を示したもので、携帯電話は、図示のように、第１筐体１０１と第２筐体１０２とヒンジケース１０３は図略の２軸ヒンジユニットを介して結合されている。図６に示すように、第１筐体１０１には操作部１０４が設けられ、第２筐体１０２には表示部１０５及びアンテナ１０６が設けられ、ヒンジケース１０３にはムービー撮影用の撮影部１０７が設けられている。
【００３３】
充電台に携帯電話を装着する場合、先ず、図５（ａ）に示すように、第２筐体１０２を折り畳んで重ねた状態の第１筐体１０１のヒンジケース１０３と反対側端部を、装着部１０の載置面のリブ１１に沿って移動させて突き当て壁１４に突き当てる。これにより、側面押圧部材４が第１筐体１０１端部で押されるとともに、突き当て壁１４上端の左右一対の突片１４ａが第１筐体１０１端部の上面に重なる。
【００３４】
側面押圧部材４の後退動作により、図２（ａ）から（ｂ）、図３（ａ）から（ｂ）、及び図４（ｂ）に示すように、側面押圧部材４に一体の規制部材４０先端部の規制部４１上から可動部材９の先端部が外れた状態になる。
【００３５】
そして、図５（ｂ）及び（ｃ）に示すように、第２筐体１０２を上から押し下げて第１筐体１０１を装着部１０に装着する。このとき、端部突出壁１６内の端部保持爪６が第１筐体１０１側面の小穴１１６に係合すると同時に、反対側の側壁１７内の端部保持爪７が第１筐体１０１側面の小穴（不図示）に係合して保持状態となる。また、差し込み片１２が第１筐体１０１とヒンジケース１０３との隙間に差し込まれる。
【００３６】
以上の装着により、上面押圧部材５が第１筐体１０１下面で押されて、上面押圧部材５に一体の動作部材５０が軸部５１を支点に回動し、図４（ｃ）に示すように、動作部材５０先端部の延出片５９が可動部材９の延出片９７をねじりバネ９９の付勢に抗して押し下げる。これにより、可動部材９が軸部９１・９４を支点に回動して、可動部材９にコイル状部３０で保持された一対の電源端子３が中間部突出壁１３内のスリットから突出して、第１筐体１０１側面の一対の充電電極１１３に接続状態となる。
【００３７】
以上、実施形態の充電台によれば、装着部１０の一端側と他端側に携帯電話の装着により押圧される側面押圧部材４及び上面押圧部材５と、一端側の側面押圧部材４の非押圧状態で他端側の上面押圧部材５の押圧動作を規制して電源端子３を没入状態に保持し、一端側の側面押圧部材４の押圧後にのみ他端側の上面押圧部材５の押圧動作を許容して電源端子３を突出させる突出動作機構を備えるので、一つの押圧部材を押しただけでは電源端子３が出ないようにして、電源端子３の短絡を防止することができる。
【００３８】
具体的には、突出動作機構を、電源端子３を保持する可動部材９と、この可動部材９を電源端子３の没入方向に付勢するねじりバネ９９と、一端側の側面押圧部材４と一体で、可動部材９の電源端子３を突出させる方向の動作を規制する規制部材４０と、この規制部材４０を規制方向に付勢するねじりバネ４９と、他端側の上面押圧部材５と一体で、可動部材９を電源端子３の突出方向に動作させる動作部材５０と、からなる構成とすることで、以上の効果を達成できる。
【００３９】
そして、装着部１０の一側部と他側部に携帯電話を装着状態に保持する端部保持爪６と中間部保持爪７を備えているので、装着部１０に携帯電話を装着状態に保持することができる。
【００４０】
また、上面押圧部材５を側方から覆うような突出部１５を備えているので、上面押圧部材５に対する側方からの接触を困難なものにすることができ、しかも、その突出部１５の上面が上面押圧部材５側を高くした傾斜面１５ａとなっていることからも、上面押圧部材５に対する側方からの接触をより困難にすることができる。
【００４１】
次に、図６は充電台に装着状態の携帯電話を縦方向に開いた状態を示したもので、装着部１０から第１筐体１０１が突出する端部において、第１筐体１０１に対し第２筐体１０２をヒンジケース１０３と一体に、２軸ヒンジユニットの第１ヒンジ軸を介して回転させて縦方向に開放している。
【００４２】
このように、装着部１０の一端側に携帯電話が突き当たる突き当て壁１４を形成して、装着部１０の他端側までに携帯電話の途中までを載置する載置面を形成したことで、その載置面から第１筐体１０１が突出する部分において、第２筐体１０２をヒンジケース１０３と一体に回転させることができる。
【００４３】
そして、装着部１０の一側部で中間部突出壁１３と突き当て壁１４及び端部突出壁１６との間が切り欠き部となっているので、装着部１０に装着状態の第１筐体１０１の一側面部において、中間部突出壁１３と端部突出壁１６との間の切り欠き部から、予めカードスロット蓋１２１を開けておいたカードスロットにマイクロカードを差し込んだり、中間部突出壁１３と突き当て壁１４との間の切り欠き部から、操作ボタン１２２・１２３・１２４を押したりする操作を行うことができる。
しかも、その切り欠き部の上面が前下がりの傾斜面１ａとなっていることから、マイクロカードを差し込んだり、操作ボタン１２２・１２３・１２４を押したりする操作をよりし易くすることができる。
【００４４】
次に、図７（ａ）は充電台に装着状態の携帯電話を横方向に開いた状態を示したもので、ヒンジケース１０３の一側面のリリーススイッチ１３１をスライド操作し、第２筐体１０２とヒンジケース１０３とのロック状態を解除して、第１筐体１０１及びヒンジケース１０３に対し第２筐体１０２を、２軸ヒンジユニット第２ヒンジ軸を介して回転させて横方向に開放している。
【００４５】
このように、いわゆるブックスタイル状態において、中間部突出壁１３と端部突出壁１６との間の切り欠き部から、背面スピーカの音を手前側に導くことができる。すなわち、図７（ｂ）に示すように、携帯電話の第１筐体１０１の背面には、ヒンジケース１０３側端部に凹部１４１が形成されて、この凹部１４１に背面スピーカの放音穴１４２が開口している。
【００４６】
そして、図１に示したように、装着部１０の中間部突出壁１３と端部突出壁１６との間の切り欠き部に沿っては、リブ１１が設けられていない。
従って、図７（ａ）に示すように、ブックスタイル状態において、中間部突出壁１３と端部突出壁１６との間の切り欠き部から、背面スピーカの音を手前側に導くことができる。
【００４７】
次に、図８は充電台に装着状態の携帯電話を縦方向に直角に開いたムービー状態を示したもので、装着部１０から第１筐体１０１が突出する端部において、第１筐体１０１に対し第２筐体１０２をヒンジケース１０３と一体に、２軸ヒンジユニットの第１ヒンジ軸を介して９０度回転させたムービースタイルとしている。
【００４８】
このように、装着部１０の他側部で側壁１７の両側方が切り欠き部となっているので、装着部１０に装着状態の第１筐体１０１の他側面部においても、側壁１７の右側方の切り欠き部から、コネクタ蓋１２５を開けてコネクタに通信ケーブルをコネクタ接続したり、ズームキー１２６やシャッターキー１２７を押したりする操作を行うことができる。
【００４９】
また、側壁１７と左側の突き当て壁１４との間の隅部の切り欠き部には、第１筐体１０１の隅部に形成したストラップ通し穴１２８が位置しているので、このストラップ通し穴に通した携帯ストラップをそのまま使用することができる。
【００５０】
（変形例）
なお、以上の実施形態においては、携帯電話の充電装置としたが、本発明はこれに限定されるものではなく、ＰＤＡ、ノートパソコン、ウェアラブルパソコン、電卓、電子辞書など、各種電子機器を充電する装置の全てに用いることができる。
また、充電する装置以外に、携帯電子機器に電力を供給する装置、例えばＡＣ電源アダプターのようなもの等であってもよい。
さらに、押圧部材の形状や突出動作機構の構成等も任意であり、その他、具体的な細部構造等についても適宜に変更可能であることは勿論である。
例えば、規制部材で動作部材を直接規制する構造としたり、動作部材に可動部材を重ねる構造としたり、あるいは、上面押圧部材を押しただけでは電源端子を没入状態に保持するロック機構を設けてもよい。
【符号の説明】
【００５１】
１  上ケース
２  コネクタ
３  電源端子
４  側面押圧部材
５  上面押圧部材
６  端部保持部材
７  中間部保持部材
８  下ケース
９  可動部材
１０  装着部
１１  リブ
１２  差し込み片
１３  中間部突出壁
１４  突き当て壁
１５  突出部
１６  端部突出壁
１７  側壁
２１  基板
２２  配線
４０  規制部材
４１  規制部
４２  案内部
４３  案内部
４９  バネ部材
５０  動作部材
５１  軸部
５２  軸受部
５３  軸受部
５４  平行部
５５  軸部
５７  軸受部
５８  軸受部
５９  延出片
６１  軸部
６２  軸受部
６３  軸受部
６９  バネ部材
７１  軸部
７２  軸受部
７３  軸受部
７９  バネ部材
９０  平行部
９１  軸部
９２  軸受部
９３  軸受部
９４  軸部
９５  軸受部
９６  軸受部
９７  延出片
９９  バネ部材
１０１  第１筐体
１０２  第２筐体
１０３  ヒンジケース
１０４  操作部
１０５  表示部
１０６  アンテナ
１０７  ムービー撮影部
１１３  充電電極
１１６  小穴
１２１  カードスロット蓋
１２２  操作ボタン
１２３  操作ボタン
１２４  操作ボタン
１２５  コネクタ蓋
１２６  ズームキー
１２７  シャッターキー
１２８  ストラップ通し穴
１３１  リリーススイッチ
１４１  凹面
１４２  放音穴
【図１】
2011019340.tif 000003
【図２】
2011019340.tif 000004
【図３】
2011019340.tif 000005
【図４】
2011019340.tif 000006
【図５】
2011019340.tif 000007
【図６】
2011019340.tif 000008
【図７】
2011019340.tif 000009
【図８】
2011019340.tif 000010